(57)【要約】【課題】はんだを使用することなく、プッシュスイッチユニット５をフレキシブルプリント回路基板３に実装する。【解決手段】被係止部１３及びセット部１１ｆを有したユニット本体１１と、被係止部１３に係止可能な係止部１５を有しかつユニット本体１１と協働してフレキシブルプリント回路基板３の端部を挟持するカバー１７と、スプリングコンタクト２３と、スプリングコンタクト２３にセット部１１ｆ側の押圧力を付与する作動レバー２７とを備えてなる。【選択図】　　　図１
2004087330.tif 000002
【特許請求の範囲】
【請求項１】
フレキシブルプリント回路基板の端部における第１配線と第２配線を電気的に接続・遮断するプッシュスイッチユニットにおいて、
被係止部、及び前記フレキシブルプリント回路基板の前記端部をセット可能なセット部を有したユニット本体と、
前記ユニット本体に前記セット部を覆うように取付けられ、前記被係止部に係止可能な係止部を有してあって、前記ユニット本体と協働して前記フレキシブルプリント回路基板の前記端部を挟持するカバーと、
前記カバーに覆われてあって、前記セット部側の押圧力が付与されると前記第１配線の接点，前記第２配線の接点のいずれの接点にも接触するように弾性変形すると共に、前記押圧力が解除されると前記第１配線の接点，前記第２配線の接点のうち少なくともいずれかの接点から離れるように復帰して弾性変形するスプリングコンタクトと、
前記カバーの表面に対して突出したボタン部を有してあって、前記セット部に対して接近離反する方向へ移動可能であって、前記スプリングコンタクトに前記セット部側の前記押圧力を付与する作動レバーと、
を備えてなることを特徴とするプッシュスイッチユニット。
【請求項２】
前記ユニット本体は、前記フレキシブルプリント回路基板の前記端部に形成された基板係合部が係合可能な被係合部を有していることを特徴とする請求項１に記載のプッシュスイッチユニット。
【請求項３】
前記スプリングコンタクトは、前記被係合部に係合可能なコンタクト係合部を有してあって、前記ユニット本体と前記カバーの協働により挟持されるように構成したことを特徴とする請求項２に記載のプッシュスイッチユニット。
【請求項４】
前記作動レバーは前記セット部に対して接近離反する方向へ揺動可能であって、
前記作動レバーの基部に連結した揺動軸を、前記ユニット本体と前記カバーの協働により支持されるように構成したことを特徴とする請求項１から３のうちのいずれかの請求項に記載のプッシュスイッチユニット。
【請求項５】
フレキシブルプリント回路基板と、
前記フレキシブルプリント回路基板に実装され、請求項１から請求項４のうちのいずれかの請求項に記載の発明特定事項からなるプッシュスイッチユニットと、
を備えてなることを特徴とする制御回路。
【発明の詳細な説明】
【０００１】
【発明の属する技術分野】
本発明は、フレキシブルプリント回路基板における第１配線と第２配線を電気的に接続・遮断するプッシュスイッチユニット、及びこのプッシュスイッチを備えた制御回路に関する。
【０００２】
【従来の技術】
フレキシブルプリント回路基板における第１配線と第２配線を電気的に接続・遮断するために端子付きプッシュスイッチユニットが用いられる。そして、この端子付きプッシュスイッチユニットは前記フレキシブル回路基板にはんだにより実装される。
【０００３】
【発明が解決しようとする課題】
ところで、前記端子付きプッシュスイッチユニットを実装する際に用いられるはんだには、通常、鉛が含まれるため、前記端子付きプッシュスイッチユニットの実装によって対環境負荷が高くなるという問題がある。
【０００４】
また、はんだ付け時に高熱が発生するため、前記フレキシブルプリント回路基板の耐熱性が極めて低い場合にあっては、前記端子付きプッシュスイッチユニットを実装することができないと共に、前記フレキシブルプリント回路基板の耐熱性が十分に高い場合にあっても、前記プッシュスイッチユニットの構成部材（ユニットパーツ）に熱変形が生じて、前記端子付きプッシュスイッチのスイッチ特性の劣化が起こりうるという問題がある。
【０００５】
【課題を解決するための手段】
請求項１に記載の発明にあっては、フレキシブルプリント回路基板の端部における第１配線と第２配線を電気的に接続・遮断するプッシュスイッチユニットにおいて、
被係止部、及び前記フレキシブルプリント回路基板の前記端部をセット可能なセット部を有したユニット本体と、
前記ユニット本体に前記セット部を覆うように取付けられ、前記被係止部に係止可能な係止部を有してあって、前記ユニット本体と協働して前記フレキシブルプリント回路基板の前記端部を挟持するカバーと、
前記カバーに覆われてあって、前記セット部側の押圧力が付与されると前記第１配線の接点，前記第２配線の接点のいずれの接点にも接触するように弾性変形すると共に、前記押圧力が解除されると前記第１配線の接点，前記第２配線の接点のうち少なくともいずれかの接点から離れるように復帰して弾性変形するスプリングコンタクトと、
前記カバーの表面に対して突出したボタン部を有してあって、前記セット部に対して接近離反する方向へ移動（揺動を含む）可能であって、前記スプリングコンタクトに前記セット部側の前記押圧力を付与する作動レバーと、
を備えてなることを特徴とする。
【０００６】
請求項１に記載の発明特定事項によると、前記プリント回路基板の前記端部を前記ユニット本体のセット部にセットする。そして、前記カバーの前記係止部を前記ユニット本体の前記被係止部に係止させることによって前記カバーを前記ユニット本体に取付けて、前記ユニット本体と前記カバーの協働により前記フレキシブルプリント回路基板の前記端部を挟持する。これによって、前記プッシュスイッチユニットを前記フレキシブルプリント回路基板に実装することができる。
【０００７】
前記プッシュスイッチユニットを実装した後に、前記ボタン部が前記セット部側へ押されると、前記作動レバーを前記セット部に対して接近する方向へ移動させて、前記作動レバーにより前記スプリングコンタクトに前記ユニット本体側の押圧力を付与する。これによって、前記スプリングコンタクトを前記第１配線の接点，前記第２配線の接点のいずれの接点にも接触するように弾性変形させて、前記第１配線と前記第２配線を電気的に接続させることができる。
【０００８】
また、前記押圧力が解除されると、前記スプリングコンタクトを前記第１配線の接点，前記第２配線の接点のうち少なくともいずれかの接点から離れるように復帰して弾性変形させて、前記第１配線と前記第２配線を電気的に遮断させることができる。なお、このとき、作動レバーは前記スプリングコンタクトの弾性力も相まって前記セット部に対して離反する方向へ移動する。
【０００９】
請求項２に記載の発明にあっては、請求項１に記載に発明特定事項の他に、前記ユニット本体は、前記フレキシブルプリント回路基板の前記端部に形成された基板係合部が係合可能な被係合部を有していることを特徴とする。
【００１０】
請求項２に記載の発明特定事項によると、請求項１に記載の発明特定事項による作用の他に、前記基板係合部を前記被係合部に係合させて、前記プリント回路基板の前記端部を前記ユニット本体における前記セット部の所定位置にセットする。
【００１１】
請求項３に記載の発明にあっては、請求項２に記載の発明特定事項の他に、前記スプリングコンタクトは、前記被係合部に係合可能なコンタクト係合部を有してあって、前記ユニット本体と前記カバーの協働により挟持されるように構成したことを特徴とする。
【００１２】
請求項３に記載の発明特定事項によると、請求項２に記載の発明特定事項による作用の他に、前記コンタクト係合部を前記被係合部に係合させて、前記スプリングコンタクトを前記ユニット本体の所定位置に位置決めする。そして、前記カバーを前記ユニット本体に取付けて、前記スプリングコンタクトは前記ユニット本体と前記カバーの協働により挟持される。これによって、前記スプリングコンタクトは前記ユニット本体の所定位置に取付けられる。
【００１３】
請求項４に記載の発明にあっては、請求項１から請求項３のうちのいずれかの請求項に記載の発明特定事項の他に、前記作動レバーは前記セット部に対して接近離反する方向へ揺動可能であって、
前記作動レバーの基部に連結した揺動軸を、前記ユニット本体と前記カバーの協働により支持されるように構成したことを特徴とする。
【００１４】
請求項４に記載の発明特定事項によると、請求項１から請求項３のうちのいずれかの請求項に記載の発明特定事項による作用の他に、前記カバーを前記ユニット本体に取付けることによって、前記揺動軸は前記ユニット本体と前記カバーの協働により支持される。これによって、前記作動レバーは前記ユニット本体に取付けられる。
【００１５】
請求項５に記載の発明にあっては、フレキシブルプリント回路基板と、
前記フレキシブルプリント回路基板に実装され、請求項１から請求項４のうちのいずれかの請求項に記載の発明特定事項からなるプッシュスイッチユニットと、
を備えてなることを特徴とする。
【００１６】
請求項５に記載の発明特定事項によると、請求項１から請求項４のうちのいずれかの請求項に記載の発明特定事項による作用と同様の作用を奏する。
【００１７】
【発明の実施の形態】
以下、本発明の実施の形態について図面を参照して説明する。
【００１８】
図１（ａ）は、第１の発明の実施の形態に係わる制御回路の主要部であるプッシュスイッチユニットの側面図であって、図１（ｂ）は、前記プッシュスイッチユニットの側断面図であって、図２（ａ）は、第１の発明の実施の形態に係わる制御回路の主要部であるプッシュスイッチユニットのカバーを外した状態の平面図であって、図２（ｂ）は、前記プッシュスイッチユニットのカバーを外した状態の正面図であって、図３（ａ）は、第１の発明の実施の形態に係わる制御回路の主要部であるプッシュスイッチユニットの平面図であって、図３（ｂ）は、前記プッシュスイッチユニットの正面図であって、図４は、ユニット本体の被係止爪とカバーの係止フックの係止状態を示す斜視図である。なお、図１（ａ）においてカバーの内部の構造について図示を省略している。
【００１９】
ここで、「左」は、図１（ａ）（ｂ）において紙面に向かって裏，図２（ａ）（ｂ）及び図３（ａ）（ｂ）において左，図４において左斜め上のことであって、「右」は、図１（ａ）（ｂ）において紙面に向かって表，図２（ａ）（ｂ）及び図３（ａ）（ｂ）において右，図４において右斜め下のことであって、「前」は、図１（ａ）（ｂ）において左，図２（ａ）及び図３（ａ）において下，図２（ｂ）及び図３（ｂ）において紙面に向かって表，図４において左斜め下のことであって、「後」は、図１（ａ）（ｂ）において右，図２（ａ）及び図３（ａ）において上，図２（ｂ）及び図３（ｂ）において紙面に向かって裏，図４において右斜め上のことであって、「上」は、図１（ａ）（ｂ），図２（ｂ），図３（ｂ），図４において上，図２（ａ），図３（ａ）において紙面に向かって表のことであって、「下」は、図１（ａ）（ｂ），図２（ｂ），図３（ｂ），図４において下，図２（ａ），図３（ａ）において紙面に向かって裏のことである。
【００２０】
図１から図３に示すように、第１の発明の実施の形態に係わる制御回路１は、フレキシブルプリント回路基板３（端部のみ図示）と、このフレキシブルプリント回路基板３の端部に実装されたプッシュスイッチユニット５とを備えている。なお、フレキシブルプリント回路基板３の端部には複数の基板係合孔３ｈが形成されている。
【００２１】
そして、第１の発明の実施の形態に係わるプッシュスイッチユニット５は、フレキシブルプリント回路基板３の端部における第１配線７と第２配線９を電気的に接続・遮断するユニットであって、例えば、デジタルビデオカメラの液晶モニターの開閉状態、折りたたみ型携帯電話の開閉状態（折りたたみ状態）、蓋付き携帯電話における蓋の開閉状態等を検出するユニットとして利用される。
【００２２】
プッシュスイッチユニット５の構成の詳細は、次のようになる。
【００２３】
即ち、プッシュスイッチユニット５はユニット本体１１をベースとして備えており、ユニット本体１１は絶縁樹脂からからなるものであって、フレキシブルプリント回路基板３の端部をセット可能なセット面（セット部）１１ｆを有してある。また、ユニット本体１１のセット面１１ｆの所定位置にフレキシブルプリント回路基板３をセットするため、ユニット本体１１のセット面１１ｆには対応する基板係合孔３ｈがそれぞれ係合可能な複数の被係合ピン１３が有してある。更に、ユニット本体１１の左右両側には上方向へ突出した一対の被係止爪１５が有してあって、一対の被係止爪１５は左右方向へ弾性変形可能に構成してある（図４参照）。
【００２４】
ユニット本体１１にはカバー１７がセット面１１ｆを覆うように取付けられてあって、このカバー１７は絶縁樹脂からなるものである。カバー１７をユニット本体１１に取付けるため、カバー１７の左右両側には対応する被係止爪１５に係止可能な係止切欠き１９が有してある。また、カバー１７の前後にはユニット本体１１と協働してフレキシブルプリント回路基板の端部を挟持する一対の挟持部２１を有してある。
【００２５】
ユニット本体１１にはカバー１７に覆われたスプリングコンタクト２３が取付けてあって、このスプリングコンタクト２３は金属板からなるものである。スプリングコンタクト２３をユニット本体１１に取付けるため、スプリングコンタクト２３はユニット本体１１とカバー１７における挟持部２１の協働により挟持されるように構成してある。また、スプリングコンタクト２３をユニット本体１１の所定位置に位置決めするため、スプリングコンタクト２３は対応する被係合ピン１３が係合可能なコンタクト係合孔２３ｈを有してある。
【００２６】
更に、スプリングコンタクト２３の中央部には押え片２５を有してあって、この押え片２５は、下方向（セット面１１ｆ側）の押圧力が付与されると図１（ｂ）において仮想線で示すように第１配線７の接点，第２配線９の接点のいずれの接点にも接触するように弾性変形すると共に、押圧力が解除されると図１（ｂ）において実線で示すように第１配線７の接点，第２配線９の接点のいずれからも離れるように復帰して弾性変形するように構成されている。
【００２７】
なお、押え片２５が復帰して弾性変形する際に、第１配線７の接点，第２配線９の接点のうちいずれかの接点から離れるようにしてもよい。
【００２８】
ユニット本体１１にはセット面１１ｆに対して接近離反する上下方向へ揺動可能な作動レバー２７が取付けられてあって、この作動レバー２７は、スプリングコンタクト２３における押え片２５に下方向の押圧力を付与するものであって、カバー１７の表面に対して露出したボタン部２９を有してある。また、作動レバー２７をユニット本体１１に取付けるため、作動レバー１１の基部には揺動軸３１が一体的に連結されてあって、この揺動軸３１はユニット本体１１の円弧状の凹部１１ａとカバー１７の円弧状の凹部１７ａの協働により回転自在に支持されるように構成してある。ここで、スプリングコンタクト２３における押え片２５が第１配線７の接点，第２配線９の接点のいずれの接点にも接触してから、この接触した状態を維持しつつ、作動レバー２７は所定量だけ下方向へ揺動できるように構成してある。
【００２９】
なお、作動レバー２７の基部に揺動軸３１が回転自在に連結してあって、揺動軸３１がユニット本体１１の凹部１１ａとカバー１７の凹部１７ａに回転不能に支持されるように構成しても差し支えない。
【００３０】
次に、本発明の実施の形態の作用について説明する。
【００３１】
複数の基板係合孔３ｈを対応する被係合ピン１３に係合させるように、プリント回路基板３の端部をユニット本体１１のセット面１１ｆの所定位置にセットする。次に、複数のコンタクト係合孔２３ｈを対応する被係合ピン１３に係合させるように、スプリングコンタクト２３をユニット本体１１の所定位置に位置決めする。
【００３２】
そして、一対の係止切欠き１９を対応する被係止爪１５に取付けることによって、カバー１７をユニット本体１１に一体化させて、ユニット本体１１における挟持部２１とカバー１７の協働によりフレキシブルプリント回路基板３の端部を挟持する。ここで、スプリングコンタクト２３もユニット本体１１における挟持部２１とカバー１７の協働により挟持されて、スプリングコンタクト２３をユニット本体１１の所定位置に取付けることができると共に、揺動軸３１はユニット本体１１の円弧状の凹部１１ａとカバー１７の円弧状の凹部１７ａの協働により支持されて、作動レバー２７をユニット本体１１に取付けることができる。
【００３３】
以上により、プッシュスイッチユニット５をフレキシブルプリント回路基板３の端部に実装することができる。
【００３４】
プッシュスイッチユニット５を実装した後に、ボタン部２９が下方向へ押されると、作動レバー２７をセット面１１ｆに対して接近する下方向へ揺動させて、作動レバー２７によりスプリングコンタクト２３における押え片２５に下方向の押圧力を付与する。これによって、スプリングコンタクト２３における押え片２５を第１配線７の接点，第２配線９の接点のいずれの接点にも接触するように弾性変形させて、第１配線７と第２配線９を電気的に接続させることができる。
【００３５】
また、前記押圧力が解除されると、スプリングコンタクト２３における押え片２５を第１配線７の接点，第２配線９の接点のいずれの接点からも離れるように復帰して弾性変形させて、第１配線７と第２配線９を電気的に遮断させることができる。なお、このとき、作動レバー２７はスプリングコンタクト２３における押え片２５の弾性力も相まってセット面１１ｆに対して離反する方向へ揺動する。
【００３６】
以上の如き、第１の発明の実施の形態によれば、はんだを使用することなく、ユニット本体１１とカバー１７の協働によりフレキシブルプリント回路基板３の端部を挟持して、プッシュスイッチユニット５をフレキシブルプリント回路基板３に実装することができるため、プッシュスイッチユニット５の実装によって対環境負荷が高くなることを抑制できる。
【００３７】
また、同じ理由により、フレキシブルプリント回路基板３の耐熱性の良否に拘わらず、種々のフレキシブルプリント回路基板３に対して、プッシュスイッチユニット５のスイッチ特性を劣化させることなく、プッシュスイッチユニット５を実装させることができ、プッシュスイッチユニット５の利用範囲を拡大することができる。
【００３８】
更に、基板係合孔３ｈを被係合ピン１３に係合させて、プリント回路基板３の端部をユニット本体１１におけるセット面１１ｆの所定位置にセットしているため、プッシュスイッチ５の実装後においてプッシュスイッチ５がフレキシブルプリント回路基板３の端部に対して位置ずれがすることがなく、プッシュスイッチ５の安定した動作状態を保つことができる。
【００３９】
また、コンタクト係合孔２３ｈを被係合ピン１３に係合させて、スプリングコンタクト２３をユニット本体１１の所定位置に位置決めした後に、スプリングコンタクト２３はユニット本体１１とカバー１７における挟持部２１の協働により挟持されることによって、ユニット本体１１の所定位置に取付けられると共に、揺動軸３１がユニット本体１１の凹部１１ａとカバー１７の凹部１７ａの協働により支持されることによって、作動レバー２７はユニット本体１１に取付けられるため、プッシュスイッチユニット５の組立作業が簡単になる。
【００４０】
図５（ａ）は、第２の発明の実施の形態に係わる制御回路の主要部であるプッシュスイッチユニットの側面図であって、図５（ｂ）は、前記プッシュスイッチユニットの側断面図であって、図６（ａ）は、第２の発明の実施の形態に係わる制御回路の主要部であるプッシュスイッチユニットのカバーを外した状態の平面図であって、図６（ｂ）は、前記プッシュスイッチユニットのカバーを外した状態の正面図であって、図７（ａ）は、第２の発明の実施の形態に係わる制御回路の主要部であるプッシュスイッチユニットの平面図であって、図７（ｂ）は、前記プッシュスイッチユニットの正面図である。なお、図５（ａ）においてカバーの内部の構造について図示を省略している。
【００４１】
図５から図７に示すように、第２の発明の実施の形態に係わるプッシュスイッチユニット３５も第１の発明の実施の形態に係わるプッシュスイッチユニット１と略同じ構成を有してあって、プッシュスイッチユニット３５の構成のうちプッシュスイッチユニット１の構成と異なる部分についてのみ説明し、プッシュスイッチユニット３５の複数の構成要素のうちプッシュスイッチユニット３５における対応する構成要素と略同じものについては、図面中に対応する構成要素と同一番号を付して説明を省略する。
【００４２】
即ち、プッシュスイッチユニット３５におけるユニット本体１１及びカバー１７は、それぞれプッシュスイッチユニット１におけるユニット本体１１及びカバー１７と異なる形状を呈している。
【００４３】
また、プッシュスイッチユニット３５におけるユニット本体１１には複数の被係合ピン１３の代わりに複数の係合突起３７が形成されてあって、フレキシブルプリント回路基板３に形成された複数の基板係合切欠き３ｎ、及びスプリングコンタクト２３に形成れた複数のコンタクト係合切欠き２３ｎが対応する係合突起い３７に係合可能である。
【００４４】
なお、第２の発明の実施の形態においても、第１の発明の実施の形態の作用、効果と略同一の作用、効果を奏する。
【００４５】
なお、本発明は、前述の発明の実施の形態に係わるものではなく、適宜の変更を行うことにより、その他種々の態様で実施可能である。
【００４６】
【発明の効果】
請求項１から請求項５のうちのいずれかの請求項に記載の発明によれば、はんだを使用することなく、前記ユニット本体と前記カバーの協働により前記フレキシブルプリント回路基板の前記端部を挟持して、前記プッシュスイッチユニットを前記フレキシブルプリント回路基板に実装することができるため、前記プッシュスイッチユニットの実装によって対環境負荷が高くなることを抑制できる。
【００４７】
また、同じ理由により、前記フレキシブルプリント回路基板の耐熱性の良否に拘わらず、種々の前記フレキシブルプリント回路基板に対して、前記プッシュスイッチユニットのスイッチ特性を劣化させることなく、前記プッシュスイッチユニットを実装させることができ、前記プッシュスイッチユニットの利用範囲を拡大することができる。
【００４８】
請求項２から請求項５のうちのいずれかの請求項に記載の発明よれば、前記基板係合部を前記被係合部に係合させて、前記プリント回路基板の前記端部を前記ユニット本体における前記セット部の所定位置にセットしているため、前記プッシュスイッチの実装後において前記プッシュスイッチが前記フレキシブルプリント回路基板の前記端部に対して位置ずれが生じることがなく、前記プッシュスイッチの安定した動作状態を保つことができる。
【００４９】
請求項３から請求項５のうちのいずれかの請求項に記載の発明によれば、前記コンタクト係合部を前記被係合部に係合させて、前記スプリングコンタクトを前記ユニット本体の所定位置に位置決めした後に、前記スプリングコンタクトは前記ユニット本体と前記カバーの協働により挟持されることによって、前記ユニット本体の所定位置に取付けられるため、前記プッシュスイッチユニットの組立作業が簡単になる。
【００５０】
請求項４又は請求項５に記載の発明によれば、前記揺動軸が前記ユニット本体と前記カバーの協働により支持されることによって、前記作動レバーは前記ユニット本体に取付けられるため、前記プッシュスイッチユニットの組立作業がより簡単になる。
【図面の簡単な説明】
【図１】図１（ａ）は、第１の発明の実施の形態に係わる制御回路の主要部であるプッシュスイッチユニットの側面図であって、図１（ｂ）は、前記プッシュスイッチユニットの側断面図である。
【図２】図２（ａ）は、第１の発明の実施の形態に係わる制御回路の主要部であるプッシュスイッチユニットのカバーを外した状態の平面図であって、図２（ｂ）は、前記プッシュスイッチユニットのカバーを外した状態の正面図である。
【図３】図３（ａ）は、第１の発明の実施の形態に係わる制御回路の主要部であるプッシュスイッチユニットの平面図であって、図３（ｂ）は、前記プッシュスイッチユニットの正面図である。
【図４】ユニット本体の被係止爪とカバーの係止フックの係止状態を示す斜視図である。
【図５】図５（ａ）は、第２の発明の実施の形態に係わる制御回路の主要部であるプッシュスイッチユニットの側面図であって、図５（ｂ）は、前記プッシュスイッチユニットの側断面図である。
【図６】図６（ａ）は、第２の発明の実施の形態に係わる制御回路の主要部であるプッシュスイッチユニットのカバーを外した状態の平面図であって、図６（ｂ）は、前記プッシュスイッチユニットのカバーを外した状態の正面図である。
【図７】図７（ａ）は、第２の発明の実施の形態に係わる制御回路の主要部であるプッシュスイッチユニットの平面図であって、図７（ｂ）は、前記プッシュスイッチユニットの正面図である。
【符号の説明】
１　制御回路
３　フレキシブルプリント回路基板
５　プッシュスイッチユニット
３ｈ　基板係合孔
７　第１配線
９　第２配線
１１　ユニット本体
１１ｆ　セット面
１３　被係合ピン
１５　被係止爪
１７　カバー
１９　係止切欠き
２１　挟持部
２３　スプリングコンタクト
２５　押え片
２７　作動リンク
２９　ボタン部
３１　揺動軸
【図１】
2004087330.tif 000003
【図２】
2004087330.tif 000004
【図３】
2004087330.tif 000005
【図４】
2004087330.tif 000006
【図５】
2004087330.tif 000007
【図６】
2004087330.tif 000008
【図７】
2004087330.tif 000009